(57)【要約】【課題】  規則的に組むことにより波の活動によっても崩れない強固な消波堤が構築できることはもちろん、波の力を打ち消すのに有効な構造において、良好な漁場環境及び生態系の保全、再生に適した波消し組ブロックを提供する。【解決手段】  消波堤の構築において、斜め方角体位を取りながら縦横の配列で千鳥状に左右交互に組み合い得るよう互いに対称形状に形成される一の形態の波消しブロックと、他の形態の波消しブロックとを一組とする波消し組ブロックであって、それぞれが、前記斜め方角を取る方向に矩形の立方体を基本形態として、その左右両側面の中腹に前後に抜ける横欠部を設け、且つ、一の対角の両角に、他の対角の両角突部が嵌まり得る形状の内角切欠を形成し、一の形態の波消しブロックと他の形態の波消しブロックとが内角切欠と角突部とで交互に差し合う配列組合せとなる。【選択図】    図１
2005083105.tif 000002
【特許請求の範囲】
【請求項１】
消波堤の構築において、斜め方角体位を取りながら縦横の配列で千鳥状に左右交互に組み合い得るよう互いに対称形状に形成される一の形態の波消しブロックと、他の形態の波消しブロックとを一組とする波消し組ブロックであって、それぞれが、前記斜め方角を取る方向に矩形の立方体を基本形態として、その左右両側面の中腹に前後に抜ける横欠部を設け、且つ、一の対角の両角に、他の対角の両角突部が嵌まり得る形状の内角切欠を形成し、一の形態の波消しブロックと他の形態の波消しブロックとが内角切欠と角突部とで交互に差し合う配列組合せとなることを特徴とする波消し組ブロック。
【請求項２】
横欠部が口開き状においてその上面と下面が斜面に形成されていることを特徴とする請求項１記載の波消し組ブロック。
【請求項３】
波消しブロックの上面に魚介類の幼稚仔を定着させ得るように凹部を、下面には魚介類が潜り込み得るように底溝をそれぞれ形成したことを特徴とする請求項１又は２記載の波消し組ブロック。
【請求項４】
波消しブロックを積み重ね得るように、下位の波消しブロックの上面にホゾを、上位の波消しブロックの下面にホゾ穴をそれぞれ形成したことを特徴とする請求項１，２又は３記載の波消し組ブロック。
【発明の詳細な説明】
【技術分野】
【０００１】
この発明は、海岸、港湾、河川などにおいて岸近くに消波堤の構築のため配置される波消し組ブロックに関する。
【背景技術】
【０００２】
海岸、港湾、河川などにおいて、外海から来襲する波浪を遮り、静穏な水面保持を目的として消波堤が設置されるが、反面、これによって、区切られた内側水域の水の交換が阻害され、水質悪化の原因となることが多い。
【０００３】
このような外海との水の流通阻害による水質環境の悪化は、直接生態系への悪影響を及ぼし、特に消波堤構築現場は主に浅海域であり、有用魚介類をはじめとする水産動植物の産卵、着生、用稚仔生育など水産生物生産の基盤的領域であるため、この環境悪化がもたらす影響は極めて大きいという現状がある。
【０００４】
従って、消波堤は、波浪環境を改善するとともに、水の流通を阻害しない構造が求められ、従来、主に異形ブロックを使用して構築する多孔壁型の消波堤が種々考案されていたが、これらの異形ブロックの配列によって出来る堤体内部隙間は複雑に交錯し、また狭小であるなど、水が停滞しやすい構造であった。
【０００５】
さらに、この堤体内隙間は、太陽光が到達しにくく暗いため、魚介類及び水の浄化機能を有する藻類、微生物などの生育に適していなかった。
【０００６】
日本の漁業生産量は、昭和６０年頃を境に減少傾向に転じており、現在、水産物の消費量の５３％（平成１２年度）を供給するにとどまり、後は輸入に頼るという状況になっている。このような現状に対応するため、水産庁は、平成１４年３月に作成した「水産基本計画」において、「国民に対する水産物の安定供給」、「水産業の健全な発展」を理念とし、平成２４年度における水産物の自給率目標６５％（食用）と、それを達成するための施策推進の指針を示した。それには、「漁港漁場整備長期計画」、「水産動植物の生育環境となる漁場等の積極的な保全・創造」等が含まれる。波消しブロックについては、良好な漁場環境及び生態系の保全（水質改善、藻場の維持・保全、再生）が政策大綱に見られ、また、漁礁の設置、増養殖場の造成、沿岸漁場の保全などの基板整備計画が見られる。これは上記現状から見て妥当な政策と考えられる。
【発明の開示】
【発明が解決しようとする課題】
【０００７】
この発明は、このような実情に鑑みて、規則的に組むことにより波の活動によっても崩れない強固な消波堤が構築できることはもちろん、波の力を打ち消すのに有効な構造において、良好な漁場環境及び生態系の保全、再生に適した波消し組ブロックを提供することを課題とした。
【課題を解決するための手段】
【０００８】
この発明は、上記の課題を解決するために、消波堤の構築において、斜め方角体位を取りながら縦横の配列で千鳥状に左右交互に組み合い得るよう互いに対称形状に形成される一の形態の波消しブロックと、他の形態の波消しブロックとを一組とする波消し組ブロックであって、それぞれが、前記斜め方角を取る方向に矩形の立方体を基本形態として、その左右両側面の中腹に前後に抜ける横欠部を設け、且つ、一の対角の両角に、他の対角の両角突部が嵌まり得る形状の内角切欠を形成し、一の形態の波消しブロックと他の形態の波消しブロックとが内角切欠と角突部とで交互に差し合う配列組合せとなることを特徴とする波消し組ブロックを構成した。
【０００９】
上記の構成によれば、縦横の波消しブロックが角突部と内角切欠とで相互に組み合って配列が安定して維持される。その配列では、横欠部が連続して斜め方角にトンネルができ、４個が囲む間にトンネルが抜ける縦穴ができているので、強い波の来襲があっても、斜めに長くなる分だけ逆比例的に波力が弱められることはもちろん、縦穴からの噴出により波圧力が抜かれる。また、外海と内海との間に海水の交流が、波や潮の打ち寄せや引き、海岸に沿った潮の流れなどの海の自然活動により円滑に行われる。さらに、縦穴から内部に太陽光が差し込む。
【発明の効果】
【００１０】
以上説明したように、この発明の波消し組ブロックによれば、大波の来襲にも耐える強固な消波堤の構築ができることはもちろん、その構築において、縦横の配列で岸に向かって斜め方角にトンネルが生じるだけでなく、そのトンネルが上に抜ける縦穴が生じるので、波の力を合理的に強力に打ち消すことができ、しかも、魚介類の避難や棲息に適する漁礁としての環境が得られ、また、太陽光の内部への到達に適するので、水の浄化や藻の生育が望めるなど、良好な漁場環境及び生態系の保全、再生に適するという優れた効果がある。
【発明を実施するための最良の形態】
【００１１】
図１ないし図４は、この発明の一実施の形態を示したもので、その波消し組ブロックＰは、形態が対称形に異なる一対の波消しブロックＰａ，Ｐｂを最小の組（単位）となすもので、岸から海に向かって、若しくは海から岸に向かって４５度の方角に向けた体勢（体位）を取って縦横に並べられて消波堤Ｔが構築される。いずれも前記体位を取る矩形の立方体を基本形態として、その両側面の中腹に横へ抜ける前面開口の横欠部１，１を設けてある。したがって、消波堤Ｔでは横欠部１，１が横に抜ける方向は４５度の斜め方角となる。また、一の対角の両端を欠除することにより、その両方に縦に抜ける外開き口形状の内角切欠３，３が設けてある。
【００１２】
波消しブロックＰａ，Ｐｂの両形態の違いは、単に一の対角の取り方の違いだけであって、ブロックの基本の矩形を平面的に見て、一の波消しブロックＰａの一の対角と、他の波消しブロックＰｂの一の対角が互いに交差する。このように内角切欠３，３を設ける方向の違いから、消波堤Ｔの構築において、縦列、横列にそれぞれ両波消しブロックＰａ，Ｐｂを交互に配列すると、この規則的な並びで（図１ないし図３）、一の波消しブロックＰａの内角切欠３に他の波消しブロックＰｂの角突部５，５が差し合う。
【００１３】
内角切欠３の深さは横欠部１の深さと同じであり、上記のように組み合うと、波消しブロックＰａ，Ｐｂの間では横欠部１，１が斜め直列に並ぶことになり、それで斜めに長いトンネル２が生じることになる。そのため、海からの波が斜めに進路変向され、進路変向により距離が長くなった分だけ逆比例的に波の力が弱まる。また、４個で囲まれる間に縦穴７が生じることになり、この縦穴７に横欠部１，１が開口しているため、トンネル２から縦穴７に波が吹き上げることにより圧力が抜ける。
【００１４】
各波消しブロックＰａ，Ｐｂの横欠部１、１は、口開き状にそれぞれ上面１ａと下面１ｂとが斜面となっている。したがって、横欠部１，１，・・が並ぶトンネル２においては、トンネル並び列（斜め）の波消しブロックＰａ，Ｐｂの間では、上面１ａと上面１ａが、また、下面１ｂと下面１ｂがそれぞれ斜め交差に差し合って（図２，図３参照）、断続的に段差が生じているため、これがトンネル２内を進む波の抵抗となる。この時、波消しブロックＰａ，Ｐｂが内角切欠３と角突部５との結合によりしっかりスクラムを組み波の力に強く抗することができる。
【００１５】
トンネル２の中を波が突撃しても、縦穴７の下が比較的静かであるので、魚が避難してそこで波が静まるまで安全に待機できる。また、波静かとなりトンネル２に戻ると、そこがストレートではなく複雑であるので、魚が安心して住処とすることができる。
【００１６】
外海と内海との海水の交流には波の力だけではなく、潮の満干、海流なども働く。この点について、海流がトンネル２の迎い側からであると、岸に向かって海水が入りやすく、海流がトンネル２に対して逃げる方向にあると、岸近くの海水が引きやすい。したがって、水の浄化促進に適し、ごみも溜まらない。
【００１７】
上面には、凹部１３がトンネル２と平行に長くなるように設けてある。そこで、ここに、サザエ、アワビ、ウニ等の有用魚介類の幼稚仔を沈着させて生育させると、斜めであるので波の直撃を避けやすく、生育に支承なく定着させることができる。なお、図１において、１４は止め金である。
【００１８】
また、底面にはトンネル２方向に底溝９が形成され、それが重心で釣り合う中央に設けるために、底部中心で位置違いに段差が付いている。この底溝９には縦穴７から魚介類がもぐり込む避難所となるが、重心の均等割りから海底に定着させやすく座足１１，１１が生じていることにも意味がある。
【００１９】
図５及び図６は、横欠部１の形状についてそれぞれ別の実施の形態を示したもので、図５では、Ｖ字切込みの形状に、図６では湾曲した形状に、それぞれ横欠部１，１が形成され、いずれも上面１ａと下面１ｂがそれぞれの形状により斜面となっている。
【００２０】
以上は、一段の配列において波消しブロックＰａ，Ｐｂの組み方を説明したが、２段以上に積み重ねて配列することがある。この場合は、上下でずれたり転倒しないように、図７及び図８に示すように、下の波消しブロックＰａ（Ｐｂ）については、上面にホゾ１５を突設し、上の波消しブロックＰａ（Ｐｂ）の下面にホゾ穴１７を設け、相互に結合を強化することが望ましい。
【００２１】
図９及び図１０は、さらに他の実施の形態を示したもので、この場合は、上面に６個の凹部１３，１３，・・を配設した。前記実施の形態では、４個であったが、このように多数個の配列で漁礁としての機能を一層高めることができる。
【図面の簡単な説明】
【００２２】
【図１】この発明の一実施の形態による波消し組ブロックを示すの斜視図である。
【図２】同波消し組ブロックの組み方を示す斜視図である。
【図３】同波消し組ブロックで構築した消波堤の斜視図である。
【図４】同消波堤の平面図である。
【図５】他の実施の形態による波消しブロックの斜視図である。
【図６】さらに他の実施の形態による波消しブロックの斜視図である。
【図７】さらに他の実施の形態による波消しブロックの斜視図である。
【図８】同波消しブロックに他の波消しブロックを重ねた状態を示す斜視図である。
【図９】他の実施の形態を示す図１に対応する斜視図である。
【図１０】同実施の形態を示す図２に対応する斜視図である。
【符号の説明】
【００２３】
Ｐ  波消し組ブロック
Ｐａ  一の形態の波消しブロック
Ｐｂ  他の形態の波消しブロック
Ｔ  消波堤
１  横欠部
１ａ、１ｂ  横欠部の上面、下面
２  トンネル
３  内角切欠
５  角突部
７  縦穴
９  底溝
１３  凹部
１５  ホゾ
１７  ホゾ穴
【図１】
2005083105.tif 000003
【図２】
2005083105.tif 000004
【図３】
2005083105.tif 000005
【図４】
2005083105.tif 000006
【図５】
2005083105.tif 000007
【図６】
2005083105.tif 000008
【図７】
2005083105.tif 000009
【図８】
2005083105.tif 000010
【図９】
2005083105.tif 000011
【図１０】
2005083105.tif 000012